(57)【要約】【課題】  取り込み角度が大きいほど，光量は増大し分析精度が保てるが，散乱光を伴う分析においては散乱光を取り込みやすく測定できる濃度のダイナミックレンジが狭くなる。【解決手段】  分光部で光を分光した後，波長ごとに受光する光の取り込み角度を変え，光量の少ない波長の光は取り込み角度を大きくし，光量が大きく，散乱光を伴う分析に使用する波長の光は取り込み角度を小さくする。これにより、光量を増大させ，分析精度を維持しながらも，散乱光を伴う分析において測定できる濃度のダイナミックレンジを稼ぐことができる。【選択図】  図5
2008286567.tif 000002
【特許請求の範囲】
【請求項１】
試料を収めるセルと，
前記セルに，少なくとも２つの異なる波長について光量が異なる光を照射する光源と，
前記セルを透過した光を分光する分光部と，
分光された光を受光する，検出光の中心波長が各々異なる複数の受光素子を有し，
前記受光素子の受光する光の取り込み角度が受光素子ごとに異なることを特徴とする分析装置。
【請求項２】
試料を収めるセルと，
前記セルに，少なくとも２つの異なる波長について光量が異なる光を照射する光源と，
前記セルを通過した光を分光する分光部と，
分光された光を受光する，検出光の中心波長が各々異なる複数の受光素子と，
前記分光部と少なくとも１つの前記受光素子との間に配置されるスリットを有する分析装置。
【請求項３】
少なくとも２つの異なる波長について光量が異なる光を照射する光源と，
前記光源が照射した光を分光する分光部と，
試料を収め，前記分光部に分光された分光光を照射される少なくとも１つのセルと，
前記セルを通過した前記分光光を受光する，検出光の中心波長が各々異なる複数の受光素子と，
前記セルと，少なくとも１つの前記受光素子との間に配置されるスリットを有する分析装置。
【請求項４】
前記光源は，400nm以上の第1波長と400nm未満の第2波長の光量が異なる光を照射することを特徴とする請求項１乃至３に記載の分析装置。
【請求項５】
前記分光部と，少なくとも１つの前記受光素子との間に配置される少なくとも１つのスリットをさらに有し，前記光源は，400nm以上の第1波長と400nm未満の第2波長の光量が異なる光を照射し，前記スリットは，前記分光部と，前記第１波長の光を受光する少なくとも１つの前記受光素子との間に配置されることを特徴とする請求項１に記載の分析装置。
【請求項６】
前記光源は，400nm以上の第1波長と400nm未満の第2波長の光量が異なる光を照射し，前記スリットは，前記分光部と，前記第１波長の光を受光する少なくとも１つの前記受光素子との間に配置されることを特徴とする請求項２に記載の分析装置。
【請求項７】
前記光源は，ハロゲン光源であることを特徴とする請求項４に記載の分析装置。  
【請求項８】
前記分光部は，回折格子であることを特徴とする請求項１乃至３に記載の分析装置。
【請求項９】
前記スリットは，前記分光部と，４００ｎｍ以上を中心波長とする光を受光とする少なくとも１つの前記受光素子との間に配置されることを特徴とする請求項２に記載の分析装置。
【請求項１０】
前記スリットは，前記受光素子に対面して配置されることを特徴とする請求項２又は３又は５に記載の分析装置。
【請求項１１】
前記スリットは貫通する開口部を有し，前記開口部は，開口部を通過して受光される光の取り込み角度が400ｎｍ未満を中心波長とする光の取り込み角度以下になるように設定されることを特徴とする請求項２又は３又は５に記載の分析装置。
【請求項１２】
前記分光部と前記セルとの間に配置されたスリットアレイをさらに有することを特徴とする請求項３に記載の分析装置。
【請求項１３】
前記分光部と前記セルとの間に配置されたスリットアレイ，前記スリットアレイから前記セルへ前記分光光を伝達する光ファイバーをさらに有することを特徴とする請求項３に記載の分析装置。
【請求項１４】
粒子と，
前記セルに，少なくとも２つの異なる波長について光量が異なる光を照射する光源と，
前記セルを通過した光を分光する分光部と，
分光された光を受光する，検出光の中心波長が各々異なる複数の受光素子と，
前記分光部と，少なくとも１つの前記受光素子との間に配置されるスリットとを有する分析システム。
【請求項１５】
前記粒子はラテックス粒子であることを特徴とする請求項１４に記載の分析装置。
【発明の詳細な説明】
【技術分野】
【０００１】
本発明は試料に含まれる成分量を分析する分析装置に関わり，特に血液や尿に含まれる成分量を分析する自動分析装置に関する。
【背景技術】
【０００２】
試料に含まれる成分量を分析する分析装置として，光源からの光を，試料と試薬とが混合した反応液に照射し，単一または複数の波長の透過光量を測定して吸光度を算出し，ランベルト・ベアーの法則に基づいて成分量を割り出す分析装置が広く用いられている(例えば特許文献１)。
【０００３】
これら自動分析装置では多くの分析項目に対応するため，多数の波長に対して光量を測定する必要がある。自動分析装置において，分散した複数の単色光を透過させる光透過部材と，この光透過部材を透過した上記単色光を受光する受光素子とを有する受光素子アレイと，光透過部材に一体に形成した受光素子アレイを用いることが報告されている(例えば特許文献２)。また，反応管と回折格子の間に反応管を透過する光の光軸方向へ離間して配置され，透過もしくは散乱した光のうち光軸を中心とした所定の範囲の光を通過させる通過口を備えた遮光手段を用いることが報告されている(例えば特許文献３)。
【０００４】
【特許文献１】ＵＳ４４５１４３３
【特許文献２】特開平6-229829号公報
【特許文献３】特開2005-49109号公報
【発明の開示】
【発明が解決しようとする課題】
【０００５】
血液や尿に含まれる成分量を測定する自動分析装置の主な構成を図１に示す。自動分析装置は，内部に試料1を収めた試料カップ2，試料カップ2を複数配置した試料ディスク3，内部に試薬4を収めた試薬カップ5，試薬カップ5を複数配置した試薬ディスク6，内部において試料１と試薬4とを混合させ反応液７とするセル8，セル8を複数配置したセルディスク9，試料1を試料カップ2内から一定量セル8内に移動できる試料分注機構10，試薬4を試薬カップ5内から一定量セル8内に移動することができる試薬分注機構11，試料1と試薬4をセル8内で攪拌し混合させる攪拌ユニット12，反応液7に光源15からの光を照射して，透過した光を分光し受光素子アレイ21にて波長別に光量を測定する測定ユニット13，セル8を洗浄する洗浄ユニット14，以上の装置各部を制御する制御部，各種データを蓄えたデータ格納部，外部より必要なデータをデータ格納部に入力できる入力部，光量から吸光度を算出する測定部，吸光度から成分量を割り出す解析部，データを表示し外部に出力できる出力部，より構成される。
【０００６】
試料1中のある成分量の分析は次の様な手順で行われる。まず試料カップ2内の試料１を試料分注機構10によりセル8内に一定量分注する。次に試薬カップ5内の試薬４をセル8内に一定量分注する。続いてセル8内の試料１と試薬４とを攪拌ユニット12により攪拌し反応液７とする。必要であれば複数の試薬4を試薬分注機構11によりセル8内に追加して分注する。測定ユニット13により反応液7の透過光量を測定し，測定部において吸光度を算出して，データ格納部に吸光度データを蓄積する。反応終了後は，洗浄機構14によりセル8内を洗浄し次の分析を行う。解析部において，蓄積された吸光度データから検量線データ及びランベルト・ベアーの法則に基づき成分量を分析する。制御・分析に必要なデータは入力部からデータ格納部に入力する。各種データや解析結果は出力部により表示・出力する。
【０００７】
従来の測定ユニット13と測定部の構成例を図2に示す。光源15から出射した光16はレンズ17により集光され，スリット19aを通過し，反応液7を透過した後，暗箱18に入る。暗箱18内はスリット19bを通過する光以外は入射しないように遮光している。光16はスリット19bを通過後，分光部20で波長別に分光され，受光素子アレイ21に入射する。受光素子アレイ21は測定部と繋がっている。受光素子アレイ21の構成を図3に示す。基台27の上に，分光された光を受光する中心波長が異なる複数の受光素子22が離散的に設置されている。受光素子22には通常シリコンフォトダイオードが用いられる。ここでは12種の波長の光を受光するために22a〜22ｌまでの12個の受光素子を配置した例を示す。受光素子22の前面にはスペーサ23を介して，反射迷光除去用のマスク24と色ガラスフィルタ25が具備されている。それぞれの受光素子22a-22lは測定部に繋がっており，受光した光量に比例した光電流値を測定部に伝達する。測定部では光電流値を吸光度に変換する。
【０００８】
ここで受光素子22の受光する検出光の光量が一定以下であると，光電流以外の暗電流等のノイズの影響を受け，吸光度の分析精度が低下するため，各受光素子が受光する光量は一定以上必要である。自動分析装置では約340nmから約800nmまでの波長域の光が使用され，光源にはハロゲンランプが用いられることが多い。図4にハロゲン光源の光量の波長依存性を示す。特に400nmより短い紫外領域において光量が少ないことが示されている。
【０００９】
分析精度を一定以上にするためには，これらの紫外領域の波長で光量が一定以上確保できるように測定ユニット内の光学系を設計する必要がある。光量を一定以上確保するためには，受光素子が受ける光の取り込み角度を大きくとることが重要である。取り込み角度αを図2中に示す。取り込み角度αは光源を点光源と仮定し、その点光源から出射された光が受光素子に到達するまでを示した光線図により決定される。例えば図17のように取り込み角度は、点光源からの光が一点に集まる結像点とスリット19aとの距離ｘ及び、スリット19aの幅aを調整することで決定される。なお本明細書において取り込み角度は，レンズの色収差などによる影響は考慮しない。取り込み角度を大きく取るほど，光量を一定以上確保するのに有利である。さて，自動分析装置の項目の中には粒子などを用いて光を散乱させ，散乱光以外の透過光量を測定し吸光度を算出する項目がある。このような場合には散乱光を受光素子が受光すると正確な測定ができないため，散乱光を受光しないことが必要である。
【００１０】
取り込み角度αが大きいほど，光量を増大させるには有利であるが，散乱光も取り込みやすくなる。散乱光を取り込むと余分な光を受光素子が受光するために測定できる濃度範囲が狭くなる，すなわち測定できる濃度のダイナミックレンジが狭くなるという問題がある。このため散乱光を除去することも光量を確保することと同様に重要である。散乱光除去の課題に関しては，例えば特許文献３においてスリットによる散乱光の除去に関する手法が述べられている。しかしながらこの手法では取り込み角度が小さくなってしまい，光量の少ない波長の光の確保が困難という問題があった。以上から，一定以上の光量を確保しながらも，散乱光を除去する手法が求められていた。
【００１１】
上記の通り，光量を増大しようと取り込み角度を大きくすると散乱光を取り込みやすくなり，散乱光を除去しようと取り込み角度を小さくすると，光量が少なくなるという問題があった。
【課題を解決するための手段】
【００１２】
生化学自動分析装置について，分光部で光を分光した後，波長ごとに取り込み角度を変え，光量の少ない波長の光は取り込み角度を大きくし，光量が大きく，特に散乱光を伴う分析に使用する波長の光は取り込み角度を小さくする。
【００１３】
本発明に係る分析装置は一例として，試料を収めるセルと，前記セルに，少なくとも２つの異なる波長について光量が異なる光を照射する光源と，前記セルを透過した光を分光する分光部と，分光された光を受光する，検出光の中心波長が各々異なる複数の受光素子を有し，前記受光素子の受光する光の取り込み角度が受光素子ごとに異なる。
【００１４】
本発明に係る分析装置は他の例として，試料を収めるセルと，前記セルに，少なくとも２つの異なる波長について光量が異なる光を照射する光源と，前記セルを通過した光を分光する分光部と，分光された光を受光する，検出光の中心波長が各々異なる複数の受光素子と，前記分光部と少なくとも１つの前記受光素子との間に配置されるスリットを有する。
【発明の効果】
【００１５】
本発明のように波長ごとに取り込み角度を変更することにより，光量の大きな波長は取り込み角度を小さくし，光量の小さな波長は取り込み角度を大きくすることで，測定精度を維持したまま，散乱光を伴う分析において測定できる濃度のダイナミックレンジを大きくすることができる。特に反応液を微量化する場合は有効な手段となる。
【実施例１】
【００１６】
本実施例では，分光部と受光素子の間に，特定の波長に対してのみスリットを配置した構成を示す。本構成により，分光部で分光後，特定の波長のみ取り込み角度を小さくすることができる。全体構成は図１に示した分析装置と基本的に同様であるが，測定ユニット13のみが異なる。
【００１７】
図5に本実施例における測定ユニット13の概略図を示す。光源15から出射した光16はレンズ17により集光され，スリット19aを通過し反応液7を透過した後，暗箱18に入る。暗箱18内では，光16はスリット19bを通過後，分光部20で波長別に分光された後，受光素子アレイ21に入射する。本実施例では分光部20に反射型の回折格子を用いた。
自動分析装置で使用される340-800nmの光は400nm以下の紫外光と400nm以上の可視光とに大きく分けられるが、光源15には，少なくとも２つの異なる波長について光量が異なる光を出射する光源，特にここでは400nm以上の第1波長と400nm未満の第2波長の光量が異なる光源を用いる。本実施例では，ハロゲン光源を用いた。反応液7の液量は120μLであり，粒子を用いた散乱光を伴う分析での吸光度の測定には570nmの波長の光を用いた。受光素子アレイ21の前面には波長別スリット30を設置した。図13に波長別スリット30の構成を、図14に波長別スリット30と受光素子アレイ21との構成図を示す。波長別スリット30は、開口部31を具備し、570nmの波長の光に関して，光源を出射して受光素子に受光されるまでの光線を制限する実効的に有効なスリットとなるよう、400nm以上の波長の光を受光する受光素子の少なくとも１つ，ここでは570nmの波長に対応する受光素子の光の進行方向と逆の方向において前に対面して置くことにより，光量の少ない340nmの光の取り込み角度αは維持したまま，570nmの波長は取り込み角度βを小さくした。340nmの波長の取り込み角度αは実線，570nmの波長の取り込み角度βは点線の光線図で表す。すなわち，波長別スリット30を，400nm以上の波長の光を受光する受光素子の少なくとも１つの前に置くことにより，光量の少ない400nm未満の波長の光は取り込み角度を大きくし，光量を大きくする一方で，光量の多い400nm以上の波長の光は取り込み角度を小さくし，光量を小さくした。
【００１８】
図6に受光素子アレイ21と波長別スリット30を示す。受光素子アレイ21の基本的な構成は図3における基本的な構成と同様である。その対応波長は340nm,405nm,450nm,480nm,505nm,546nm,570nm,600nm,660nm,700nm,750nm，800nmである。400nm以上の波長の光を受光する受光素子の１つである570nmの波長に対応する受光素子22gに対して波長別スリット30を設けた。
【００１９】
これにより光量の少ない340nmの光の取り込み角度は維持したまま，570nmの波長は取り込み角度を小さくできる。セル内には散乱体が納められており，入射光の一部を散乱する。570nmの波長のみ取り込み角度βは，αの1/2程度とした。これにより取り込み角度を小さくして散乱光の受光を減らすことができる。なお、通常散乱体としてラテックス粒子などを用いた散乱光を伴う測定においては400nm以上の光の吸光度を測定することが多い。結果570nmの光量は波長別スリット30を設置しない場合に比べ1/4程度の減光となった。しかしながらその570nmの光量は図4グラフより340nmの光量に比べまだ2倍以上あるため，光量は一定以上を確保しており，分析精度には影響が出ない。一方で光量が少なく，問題とされる340nmの波長の光に関しては取り込み角度αを保つことにより光量を確保した。また400nm以上の光を減らすことは、内部反射などによる迷光を減らすことになり有効である。
【００２０】
図7に本実施例の構成においてラテックス粒子を仮定しシミュレーションした場合のラテックス粒子の密度に対する570nmの吸光度の大きさを示す。ラテックス粒子の大きさは2μmとした。横軸に密度，縦軸に吸光度をとると，常に波長別スリットを入れた場合の方が，吸光度が高く，散乱光が除去されていることが示される。
【００２１】
図8に直線からの乖離の大きさをパーセント割合で示す。図7の結果から散乱光が少ない場合の理想的な吸光度の直線を引き，乖離の大きさを，波長別スリットを入れた場合と入れない場合で比較した結果，波長別スリットのある場合の方がない場合よりも乖離が小さいことが示される。これにより測定できる濃度のダイナミックレンジを向上できることが示される。
【００２２】
このように，光量の少ない波長は光量を確保し，散乱光を除去する必要のある波長は取り込み角度を小さくすることで，分析精度を保ったまま，測定できる濃度のダイナミックレンジを向上させることができる。
【００２３】
また本実施例の構成によれば，波長ごとに取り込み角度を変更することが可能となり，分析精度を保ったまま，測定できる濃度のダイナミックレンジを向上させることができる。
【００２４】
とくに光源がハロゲン光源の場合，光量の少ない400nm以下の紫外光での波長での光量は保ったまま，400nm以上の散乱体の測定において，その測定波長の取り込み角度を小さくすることで，散乱光の検出を抑制し，測定できる濃度のダイナミックレンジの向上を図ることが可能である。なお，通常散乱体としてラテックス粒子などを用いた項目においては400nm以上の光の吸光度を測定することが多い。
【実施例２】
【００２５】
本実施例では反応液を微量化した場合の構成を示す。反応液を微量化した場合，光を照射する面積が低減し，光量を一定以上確保することが困難になる。例えば反応液量を半分にした場合，光軸方向の反応液の長さである光路長は維持すると考えると，セルの照射面積は半分となり，受光素子が受光する光量も半分となる。光量を確保するためには取り込み角度を大きくすることが重要である。本実施例では取り込み角度を大きくしながらも，分光部と受光素子の間に，特定の波長に対してスリットを配置し取り込み角度を小さくした構成を示す。分光部20には反射型回折格子を用いた。全体の基本的構成は実施例１と同様であるが，測定ユニット13が異なる。
【００２６】
図9に本実施例の測定ユニットの構成を示す。反応液7は実施例1では120μＬであったが，本実施例では60μＬとした。それに伴い、スリット19aの中心部の穴の面積は照射面積にあわせ約半分と小さくしたが、図18のように、点光源からの光が一点に集まる位置とスリット19aとの距離ｘ’及び、スリット19aの幅a’を調整することで340nmの取り込み角度αを実施例1と比して1.5倍とした。これにより照射面積を半分にしながらも光量を確保できる。一方で粒子の測定において用いる570nmの波長の光の取り込み角度βは波長別スリットを設け，実施例１と同等とすることで散乱光を除去した。これにより，570nmの直線性は保ったまま，340nmの光量を従来と同じに維持することができる。
図10に受光素子アレイを光の入射方向から見た場合の図を，図15に受光素子アレイの断面図を示す。受光素子アレイの色ガラスフィルタ２５の光の進行方向と逆方向における前面に開口部51を備える波長別スリット部材50を貼り付けた。波長別スリット部材とは，400nm以上の波長の光を受光する受光素子の少なくとも１つ（図１０の例では６つ）に対応する領域に開口部51g−lを有し， 400nm未満の波長の光を受光する受光素子に対応する領域は開口部を有さないものである。その際，各波長に対応するフォトダイオード中心と開口部の中心との位置あわせのため，色ガラスフィルタの端と波長別スリット端29とを合わせる構成とした。このように波長別スリットを色ガラスフィルタと同程度の大きさにすることにより，位置あわせが容易となる。
【００２７】
反応液を微量化した際，特に光量の少ない波長において，光量を維持するのがよりいっそう困難となるが，本実施例によれば，取り込み角度を波長ごとに変更することで，光量の少ない波長の光量は維持し，散乱光を伴う項目では取り込み角度を光量の少ない波長に比べて小さくすることで散乱光を除去し，測定できる濃度のダイナミックレンジの向上を図ることが可能である。
【実施例３】
【００２８】
本実施例では，光源から出射した光を暗箱に入射させ，分光部として回折格子で分光した後，反応液を収めたセルにそれぞれの波長ごとに光を入射させて吸光度を測定する分析装置について，レンズの焦点距離により波長別に光の取り込み角度を変更したシステムを示す。分析装置全体の基本的構成は実施例１と同様であるが，測定ユニット13が異なる。
【００２９】
図11に測定ユニット13の構成を示す。測定ユニットは光源15，レンズ17，暗箱18，分光部20，スリットアレイ32a，光ファイバ34a-l，ファイバレンズ35，反応液７，スリットアレイ32b，受光素子22からなる。光源15から出射された光16はレンズ17により集光され暗箱のスリット19bから入射した後，分光部20として反射型回折格子で分光され，実施例1において受光素子アレイ21の設置した位置に特定の波長の光を出射できるように設けられたスリットアレイ32aを通過し，光ファイバ34に入射される。図16にスリットアレイ32aの構成を示す。回折格子で分光された光は色ガラスフィルタを通過し、迷光除去マスク24を通過後、光ファイバ34a-lに入る。光ファイバを通過した各波長の光はファイバレンズ35を通過後，反応液７に入射し，スリットアレイ32b，受光素子22に受光される。
【００３０】
図12に本実施例での取り込み角度を示す。本実施例では，受光素子の取り込み角度はファイバレンズ35から出射された後の照射角度により決定される。粒子の測定で用いる570nmの波長のみ，取り込み角度がβとなるようにファイバレンズの位置を調整した。他の波長に関しては取り込み角度はαとし，400nm以下の波長においても光量を確保した。このように回折格子で分光した後に反応液に光を照射する系では、各波長ごとの光を反応液に照射する前のレンズの焦点距離等を調整することで、受光角度を変更することができる。
【００３１】
本実施例によれば，分光後に反応液に光を照射する構成においても，取り込み角度を波長ごとに変更することで，光量の少ない波長の光量は維持し，散乱光を伴う項目では波長を維持することで散乱光を除去し，測定できる濃度のダイナミックレンジの向上を図ることが可能である。
【図面の簡単な説明】
【００３２】
【図１】分析装置の構成例。
【図２】測定ユニットの構成例。
【図３】受光素子アレイの構成例。
【図４】ハロゲン光源の波長別光量のデータ。
【図５】本発明の実施形態１における測定ユニットの構成図。
【図６】本発明の実施形態1における受光素子アレイの構成図。
【図７】本発明の実施形態１におけるラテックス粒子の濃度に対する吸光度のシミュレーション結果。
【図８】本発明の実施形態1のシミュレーション結果における直線性からの乖離を示すデータ。
【図９】本発明の実施形態2における波長別取り込み角度の説明図。
【図１０】本発明の実施形態2における受光素子アレイの構成図。
【図１１】本発明の実施形態3における測定ユニットの構成図。
【図１２】本発明の実施形態3における取り込み角度の説明図。
【図１３】本発明の実施形態１におけるスリットの説明図。
【図１４】本発明の実施形態１におけるスリットと受光素子アレイの構成図。
【図１５】本発明の実施形態2における受光素子アレイの断面図。
【図１６】本発明の実施形態3におけるスリットアレイの説明図。
【符号の説明】
【００３３】
１…試料，２…試料カップ，３…試料ディスク，４…試薬，５…試薬カップ，６…試薬ディスク，７…反応液，８…セル，９…セルディスク，１０…試料分注機構，１１…試薬分注機構，１２…攪拌ユニット，１３…測定ユニット，１４…洗浄ユニット，１５…光源，１６…光，１６a〜１６ｌ…波長ごとの光，１７…レンズ，１８…暗箱，１９a〜b…スリット，２０…分光部，２１…受光素子アレイ，２２…受光素子，２２a〜２２l…受光素子，２３…スペーサ，２４…迷光除去マスク，２５…色ガラスフィルタ，２７…基台，２９…波長別スリット端，３０…波長別スリット，３１…開口部，３２a〜b…出射スリット，３４a〜３４ｌ…光ファイバ，３５…ファイバレンズ，５０…波長別スリット，５１…開口部。
【図１】
2008286567.tif 000003
【図２】
2008286567.tif 000004
【図３】
2008286567.tif 000005
【図４】
2008286567.tif 000006
【図５】
2008286567.tif 000007
【図６】
2008286567.tif 000008
【図７】
2008286567.tif 000009
【図８】
2008286567.tif 000010
【図９】
2008286567.tif 000011
【図１０】
2008286567.tif 000012
【図１１】
2008286567.tif 000013
【図１２】
2008286567.tif 000014
【図１３】
2008286567.tif 000015
【図１４】
2008286567.tif 000016
【図１５】
2008286567.tif 000017
【図１６】
2008286567.tif 000018
【手続補正書】
【提出日】平成20年3月31日(2008.3.31)
【手続補正１】
【補正対象書類名】明細書
【補正対象項目名】０００９
【補正方法】変更
【補正の内容】
【０００９】
分析精度を一定以上にするためには，これらの紫外領域の波長で光量が一定以上確保できるように測定ユニット内の光学系を設計する必要がある。光量を一定以上確保するためには，受光素子が受ける光の取り込み角度を大きくとることが重要である。取り込み角度αを図2中に示す。取り込み角度αは光源を点光源と仮定し、その点光源から出射された光が受光素子に到達するまでを示した光線図により決定される。例えば図2のように取り込み角度は、点光源からの光が一点に集まる結像点とスリット19aとの距離ｘ及び、スリット19aの幅aを調整することで決定される。なお本明細書において取り込み角度は，レンズの色収差などによる影響は考慮しない。取り込み角度を大きく取るほど，光量を一定以上確保するのに有利である。さて，自動分析装置の項目の中には粒子などを用いて光を散乱させ，散乱光以外の透過光量を測定し吸光度を算出する項目がある。このような場合には散乱光を受光素子が受光すると正確な測定ができないため，散乱光を受光しないことが必要である。
【手続補正２】
【補正対象書類名】明細書
【補正対象項目名】００２６
【補正方法】変更
【補正の内容】
【００２６】
図9に本実施例の測定ユニットの構成を示す。反応液7は実施例1では120μＬであったが，本実施例では60μＬとした。それに伴い、スリット19aの中心部の穴の面積は照射面積にあわせ約半分と小さくしたが、図9のように、点光源からの光が一点に集まる位置とスリット19aとの距離ｘ’及び、スリット19aの幅a’を調整することで340nmの取り込み角度αを実施例1と比して1.5倍とした。これにより照射面積を半分にしながらも光量を確保できる。一方で粒子の測定において用いる570nmの波長の光の取り込み角度βは波長別スリットを設け，実施例１と同等とすることで散乱光を除去した。これにより，570nmの直線性は保ったまま，340nmの光量を従来と同じに維持することができる。図10に受光素子アレイを光の入射方向から見た場合の図を，図15に受光素子アレイの断面図を示す。受光素子アレイの色ガラスフィルタ２５の光の進行方向と逆方向における前面に開口部51を備える波長別スリット部材50を貼り付けた。波長別スリット部材とは，400nm以上の波長の光を受光する受光素子の少なくとも１つ（図１０の例では６つ）に対応する領域に開口部51g−lを有し， 400nm未満の波長の光を受光する受光素子に対応する領域は開口部を有さないものである。その際，各波長に対応するフォトダイオード中心と開口部の中心との位置あわせのため，色ガラスフィルタの端と波長別スリット端29とを合わせる構成とした。このように波長別スリットを色ガラスフィルタと同程度の大きさにすることにより，位置あわせが容易となる。